(57)【要約】【課題】 ひったくり犯人を簡易に特定できると共に逃走経路を知ることができ、しかも小型軽量かつ簡易な構造で安価なひったくり犯罪防止装置を提供する。【解決手段】  ひったくり犯罪防止装置１０は、中空球形の容器であって内部にひったくり犯罪に対抗するための対策剤１５が封入されてなるケース本体１１と、ケース本体の外周面に取り付けられて他端に携帯品に取り付けられる取付部１７ｂを設けた鎖状の取付部材１７と、ケース本体の小孔１３を塞ぐ栓部材１４に固定されて所定長さの紐１９を引き出し可能に巻取り保管した紐リール部材１８と、紐の引出し端部に固定されて携帯品所有者の衣服や自転車等に着脱可能に連結される取付具２１とを備えている。【選択図】    図１
2005092420.tif 000002
【特許請求の範囲】
【請求項１】
中空容器で壁部の１箇所に小孔を有すると共に、該小孔を塞ぐ栓部材が該小孔に強固に挿嵌されており、内部にひったくり犯罪に対抗するための対策剤が封入されてなるケース本体と、
該容器の外周面の前記小孔のほぼ反対位置に一端にて取り付けられて他端に携帯品に着脱可能に取り付けられる取付部を設けたひも状の取付部材と、
前記ケース本体の栓部材に固定されて所定長さの紐を引き出し可能に巻取り保管した紐リール部材と、
該紐の引出し端部に固定されて携帯品の所有者の衣服や自転車等に着脱可能に取り付けられる取付具と
を設けたことを特徴とするひったくり犯罪防止装置。
【請求項２】
前記対策剤が、カラーマーカを含むことを特徴とする前記請求項１に記載のひったくり犯罪防止装置。
【請求項３】
前記対策剤が、着臭剤を含むことを特徴とする前記請求項１又は２に記載のひったくり犯罪防止装置。
【発明の詳細な説明】
【技術分野】
【０００１】
本発明は、歩行者や自転車搭乗者等が所持するかばん、バッグ等の携帯品の引ったくり犯罪に対するひったくり犯罪防止装置に関する。
【背景技術】
【０００２】
従来、この種のひったくり犯罪防止装置としては、ひったくりにあった際に、ブザー音等の音響で知らせるものがある。しかし、この装置の場合、音響に気がついた犯人が、急遽、ひったくった携帯品から装置を取り外して、携帯品のみを奪ってする逃走する可能性が高く、犯人を捕らえ難くなるという問題がある。また、この装置の場合、音響を周囲に気づかせる程度に大きくするには、装置自体が大きくなり、携帯に不便になると共に、装置の価格が高価になるという問題もある。
【発明の開示】
【発明が解決しようとする課題】
【０００３】
本発明は、上記した問題を解決しようとするもので、ひったくり犯人を簡易に特定できると共に逃走経路を知ることができ、しかも小型軽量かつ簡易な構造で安価なひったくり犯罪防止装置を提供することを目的とする。
【課題を解決するための手段】
【０００４】
上記目的を達成するために、中空容器で壁部の１箇所に小孔を有すると共に、小孔を塞ぐ栓部材が小孔に強固に挿嵌されており、内部にひったくり対策剤が封入されてなるケース本体と、容器の外周面の小孔のほぼ反対位置に一端にて取り付けられて他端に携帯品に着脱可能に取り付けられる取付部を設けたひも状の取付部材と、ケース本体の栓部材に固定されて所定長さの紐を引き出し可能に巻取り保管した紐リール部材と、紐の引出し端部に固定されて携帯品の所有者の衣服や自転車等に着脱可能に取り付けられる取付具とを設けたことにある。
【０００５】
上記のように構成した本発明においては、歩行者等の所持する携帯品が犯人によってひったくられると、携帯品に取付部材で繋がれたケース本体が引っ張られ、ケース本体に固定された紐リール部材に巻き取られていた紐が引張られる。さらに、犯人がひったくった携帯品を離さずに逃走しようとすると、紐リール部材から引張られた紐が所定長さで伸びきり、ケース本体の小孔に強固に挿嵌された栓部材が抜けて、ケース本体内に封入された対策剤があふれ出る。ケース本体は、携帯品を手にした犯人の至近距離に位置するため、この対策液材が犯人に確実にかかることにより、犯人の衣服に付着する。その結果、この対策液の付着により、犯人が視覚的に容易に特定される。また、犯人が逃走中に、小孔から徐々に溢れ出た対策剤が逃走中の地面に付着するため、犯人の逃走経路がこれにより明らかにされる。その結果、ひったくり犯人の捜査に大いに活用される。
【０００６】
また、対策剤が、カラーマーカを含むものであることが好ましい。カラーマーカーが犯人にかかることにより、犯人の衣服に付着して犯人が容易に特定される。また、犯人が逃走中に、小孔から徐々に溢れ出たカラーマーカーが逃走中の地面に付着するため、犯人の逃走経路がこれにより明らかにされる。また、対策剤が、着臭剤を含むものであってもよい。これにより、犯人の衣服に臭いが染み込むため、犯人の特定が容易になり、また捜査犬等を用いることにより、犯人の逃走経路も明らかにされる。
【発明の効果】
【０００７】
本発明によれば、逃走するひったくり犯人により、ケース本体の小孔に挿嵌された栓部材が抜けて、ケース本体内から溢れ出た対策剤が犯人にかかり、また、逃走中の地面に付着して犯人の逃走経路がこれにより明らかにされる。その結果、このひったくり犯罪防止装置が、犯人の捜査に有効に活用され、その結果として、ひったくり犯罪防止効果も得られる。
【発明を実施するための最良の形態】
【０００８】
以下、本発明の一実施例を図面を用いて説明すると、図１は、同実施例であるひったくり犯罪防止装置１０の概略構成を一部破断斜視図により示したものである。ひったくり犯罪防止装置１０は、中空球形の容器であって内部にひったくり対策剤１５が封入されてなるケース本体１１と、ケース本体１１の外周面に取り付けられて他端に携帯品に取り付けられる取付部を設けた鎖状の取付部材１７と、ケース本体１１の栓部材１４に固定されて所定長さの紐１９を引き出し可能に巻取り保管した紐リール部材１８と、紐１９の引出し端部に固定されて携帯品所有者の衣服や自転車等に着脱可能に連結される取付具２１とにより構成されている。
【０００９】
ケース本体１１は、樹脂製で中空薄肉の球形の容器であって、壁部の１箇所に取付金具１２が取り付けられており、取付金具１２の反対側からわずかに離れた位置に小孔１３を有し、さらに小孔１３を塞ぐ栓部材１４が小孔１３に強固に挿嵌されて引きぬき可能に固定されている。ケース本体１１の内部は密閉状態で、ひったくり対策のための対策剤１５が封入されている。対策剤１５としては、赤色等の鮮やかな色を有して衣類等にしっかり染み込んで着色するカラーマーカと、強い異臭を発生すると共に衣類等にしっかり染み込む着臭剤等、ひったくり犯人を特定したり、逃走経路を特定できるような性質を備えた液剤あるいは粘着性の粉剤が含まれている。
【００１０】
ケース本体１１の取付金具１２には、金属製のひも状の取付部材１７が取り付けられている。取付部材１７は、長さが１５〜３０ｍｍ程度の鎖１７ａと、その先端に結合されてかばん、バッグ等の携帯品の把時部に着脱可能に係止される取付部であるフック１７ｂを設けている。ケース本体１１の栓部材１４には、２ｍ程度の長さの紐１９を引き出し可能に巻取り保管した紐リール部材１８が取り付けられている。紐１９の引出し端部には、携帯品所有者の衣服、ベルトや自転車等に着脱可能に連結される取付具２１が取り付けられている。
【００１１】
上記のように構成した実施例においては、歩行者等の所持するかばん等が犯人によってひったくられると、携帯品にフック１７ｂで取り付けられた取付部材１７の鎖１７ａで繋がれたケース本体１１が引っ張られ、ケース本体１１に固定された紐リール部材１８に巻き取られていた紐１９が引張られる。さらに、犯人がひったくったかばん等を離さずに逃走しようとすると、紐リール部材１８から引張られた紐１９が２ｍ程度長さで伸びきる。それに伴い、ケース本体１１の小孔１３に緊密に挿嵌された栓部材１４が抜けて、ケース本体１１内に封入された対策剤１５があふれ出る。ここで、ケース本体１１は、かばんを手にした犯人の至近距離に位置するため、対策剤１５が犯人にかかり易く、また対策液材１５には赤色等の鮮やかな色彩のカラーマーカーが含まれているため、犯人の衣服に付着して着色される。
【００１２】
このように、衣服へのカラーマーカーによる着色により、犯人が視覚的に容易に特定される。また、犯人が逃走中に、小孔１３から徐々に溢れ出たカラーマーカーが逃走中の地面に付着するため、犯人の逃走経路がこれにより明らかにされる。また、対策剤１５は着臭剤も含むため、着臭剤が犯人の衣服に染み込むため、臭覚の面で犯人の特定が容易になる。また、捜査犬等を利用することにより、着臭剤によっても犯人の逃走経路が明らかにされる。その結果、ひったくり犯罪防止装置１０が、ひったくり犯人の捜査に大いに役立つと共に、このような装置の普及により、ひったくり犯罪の抑制にも貢献することができる。
【００１３】
つぎに、上記実施例の変形例について説明する。
変形例のひったくり犯罪防止装置２３は、図２に示すように、ケース本体として、子熊のマスコット２４を用いたものである。マスコット２４も樹脂製で、当部と胴部が中空で、内部に対策剤１５が封入されている。マスコット２４の頭部には、上記取付金具１２が取り付けられており、取付金具１２には鎖１７ａとフック１７ｂとからなる取付部材１７が連結されている。また、マスコット２４は、右側の足部位置に小孔２５を有し、さらに小孔２５を塞ぐ栓部材として足部２６が用いられている。さらに、足部２６は、内部に紐２７を引き出し可能に巻取り保管した紐リール部材を含んでいる。紐２７の引出し端部には、携帯品所有者の衣服や自転車等に着脱可能に連結されるフック２８が取り付けられている。
【００１４】
上記変形例においても、実施例と同様に、歩行者等の所持するかばん等が犯人によってひったくられると、足部２６が引張られて、マスコット２４内に封入された対策剤１５があふれ出ることにより、上記実施例と同様の効果が得られる。また、変形例においては、マスコット２４により、デザイン上の効果が得られる。さらに、小熊に限らず種々のマスコットを採用できることにより、ひったくり犯罪防止装置をアクセサリとしても手軽に使用することができる。
【産業上の利用可能性】
【００１５】
本発明のひったくり犯罪防止装置は、ケース本体内から溢れ出た対策剤が犯人にかかり、また、逃走中の地面に付着して犯人の逃走経路が明らかにされることにより、ひったくり犯人の捜査に有効に活用されると共に、ひったくり犯罪防止効果も得られるるため有用である。
【図面の簡単な説明】
【００１６】
【図１】本発明の一実施例であるひったくり犯罪防止装置を概略的に示す一部破断斜視図である。
【図２】変形例であるひったくり犯罪防止装置を概略的に示す一部破断斜視図である。
【符号の説明】
【００１７】
１０，２３…ひったくり犯罪防止装置、１１…ケース本体、１３，２５…小孔、１４…栓部材、１５…対策剤、１７…取付部材、１８…紐リール部材、１９，２７…紐、２１…取付具、２４…マスコット、２６…足部、２７…フック。
【図１】
2005092420.tif 000003
【図２】
2005092420.tif 000004